【手続補正書】
【提出日】平成21年1月19日(2009.1.19)
【手続補正１】
【補正対象書類名】明細書
【補正対象項目名】０００３
【補正方法】変更
【補正の内容】
【０００３】
【数１】
2008102235.tif 000001
【手続補正２】
【補正対象書類名】明細書
【補正対象項目名】００２３
【補正方法】変更
【補正の内容】
【００２３】
このためディスプレイ装置１０は、装置本体１６から赤色、緑色、青色の色データによる画像データＤＲ、ＤＧ、ＤＢを同時並列的にコントローラ１７に入力し、この画像データＤＲ、ＤＧ、ＤＢに同期したタイミング信号を垂直駆動回路１５で生成して表示部１２の走査線Ｇを駆動する。また垂直駆動回路１５の駆動に対応するように、これら画像データＤＲ、ＤＧ、ＤＢを時分割多重化して１系統の画像データＤ１を生成し、この画像データＤ１により水平駆動回路１４で信号線ｓｉｇを駆動する。
【手続補正３】
【補正対象書類名】明細書
【補正対象項目名】００２７
【補正方法】変更
【補正の内容】
【００２７】
水平駆動回路１４は、コントローラ１７から出力される画像データＤ１をシフトレジスタ２３に入力し、この画像データＤ１（ＤＲ、ＤＧ、ＤＢ）を信号線ｓｉｇの各系統に順次振り分ける。ディジタルアナログ変換部２４Ｒ、２４Ｇ、２４Ｂは、それぞれシフトレジスタ２３から出力される赤色、緑色、青色の画像データＤＲ、ＤＧ、ＤＢをディジタルアナログ変換処理し、各信号線ｓｉｇ（ｓｉｇＲ、ｓｉｇＧ、ｓｉｇＢ）の駆動信号を生成する。増幅回路２６ＲＡ〜２６ＲＮ、２６ＧＡ〜２６ＧＮ、２６ＢＡ〜２６ＢＮは、このディジタルアナログ変換部２４Ｒ、２４Ｇ、２４Ｂの出力信号をそれぞれ増幅して表示部１２に出力する。
【手続補正４】
【補正対象書類名】明細書
【補正対象項目名】００２８
【補正方法】変更
【補正の内容】
【００２８】
ここで図１は、原基準電圧生成回路２２及びディジタルアナログ変換部２４Ｒ、２４Ｇ、２４Ｂの構成を詳細に示すブロック図である。原基準電圧生成回路２２は、コントローラ１７から出力される制御データＤＳに応じて原基準電圧ＶＲＴ、ＶＲ〜ＶＢ、ＶＲＢを生成する。すなわち原基準電圧生成回路２２において、ディジタルアナログ変換回路（Ｄ／Ａ）３１は、制御データＤＳに応じて白レベル設定用の原基準電圧ＶＲＴを生成し、ディジタルアナログ変換回路（Ｄ／Ａ）３２は、制御データＤＳに応じて黒レベル設定用の原基準電圧ＶＲＢを生成する。これに対してディジタルアナログ変換回路（Ｄ／Ａ）３３Ｒ、３３Ｇ、３３Ｂは、制御データＤＳに応じて、それぞれ赤色、緑色、青色の中間階調設定用の原基準電圧ＶＲ、ＶＧ、ＶＢを生成する。
【手続補正５】
【補正対象書類名】明細書
【補正対象項目名】００３０
【補正方法】変更
【補正の内容】
【００３０】
ディジタルアナログ変換部２４Ｒ、２４Ｇ、２４Ｂは、この原基準電圧生成回路２２で生成された原基準電圧ＶＲＴ、ＶＲ〜ＶＢ、ＶＲＢからディジタルアナログ変換処理用の基準電圧Ｖ０〜Ｖ１５を生成し、画像データＤＲ、ＤＧ、ＤＢに応じてこの基準電圧Ｖ０〜Ｖ１５を選択して信号線ｓｉｇに出力する。なおディジタルアナログ変換部２４Ｒ、２４Ｇ、２４Ｂは、基準電圧Ｖ０〜Ｖ１５の生成に使用する中間階調設定用の原基準電圧ＶＲ、ＶＧ、ＶＢが異なる点を除いて同一に構成されることから、以下においては、赤色用のディジタルアナログ変換部２４Ｒについて詳細を説明し、他のディジタルアナログ変換部２４Ｇ、２４Ｂの重複した説明は省略する。
【手続補正６】
【補正対象書類名】明細書
【補正対象項目名】００３１
【補正方法】変更
【補正の内容】
【００３１】
ここでディジタルアナログ変換部２４Ｒは、白レベル設定用の原基準電圧ＶＲＴ、黒レベル設定用の原基準電圧ＶＲＢ、中間階調設定用の原基準電圧ＶＲを基準電圧生成回路３５に入力し、基準電圧Ｖ０〜Ｖ１５を生成する。すなわち基準電圧生成回路３５は、所定抵抗値の抵抗Ｒ１〜Ｒ１５をそれぞれ所定個数だけ直列接続して分圧回路が形成され、この分圧回路の両端に白レベル設定用の原基準電圧ＶＲＴ、黒レベル設定用の原基準電圧ＶＲＢが入力される。また分圧回路の両端電圧、これら抵抗Ｒ１〜Ｒ１５の各接続点の電圧が基準電圧Ｖ０〜Ｖ１５として出力される。また抵抗Ｒ１〜Ｒ１５の中央より黒レベル設定用の原基準電圧ＶＲＢが入力される側の所定位置に、中間階調設定用の原基準電圧ＶＲが入力される。
【手続補正７】
【補正対象書類名】明細書
【補正対象項目名】００３２
【補正方法】変更
【補正の内容】
【００３２】
ディジタルアナログ変換部２４Ｒは、各信号線ｓｉｇの系統に振り分けられてシフトレジスタ２３から出力される各画像データＤＲに応じて、それぞれセレクタ（ＳＥＬ）３６Ａ〜３６Ｎで基準電圧Ｖ０〜Ｖ１５を選択することにより、各画像データＤＲをディジタルアナログ変換処理して駆動信号を生成する。ディジタルアナログ変換部２４Ｒは、それぞれこの駆動信号を対応する増幅回路２６ＲＡ〜２６ＲＮに出力する。
【手続補正８】
【補正対象書類名】明細書
【補正対象項目名】００３８
【補正方法】変更
【補正の内容】
【００３８】
また原基準電圧生成回路２２において、制御データＤＳに応じて、この分圧回路の両端に入力する白レベル設定用の原基準電圧ＶＲＴ、黒レベル設定用の原基準電圧ＶＲＢを生成し、これにより制御データＤＳの設定により白レベル、黒レベルを調整することができる。基準電圧生成回路３５では、各色データのディジタルアナログ変換部２４Ｒ、２４Ｇ、２４Ｂでそれぞれ基準電圧Ｖ０〜Ｖ１５を生成するようにして、白レベル設定用の原基準電圧ＶＲＴ、黒レベル設定用の原基準電圧ＶＲＢについては、これらディジタルアナログ変換部２４Ｒ、２４Ｇ、２４Ｂで共通に使用される。従ってこのディスプレイ装置１０では、図４において駆動信号における調整による電位の変化を矢印で示すように、白レベル及び黒レベルを各色データで共通に調整して調整作業を簡略化することができ、また構成を簡略化することができる。
【手続補正９】
【補正対象書類名】明細書
【補正対象項目名】００３９
【補正方法】変更
【補正の内容】
【００３９】
ディスプレイ装置１０では、さらに原基準電圧生成回路２２のディジタルアナログ変換回路３３Ｒ、３３Ｇ、３３Ｂにおいて、それぞれ制御データＤＳにより赤色、緑色、青色の中間階調設定用の原基準電圧ＶＲ、ＶＧ、ＶＢが生成され、これらの原基準電圧ＶＲ、ＶＧ、ＶＢが分圧回路の中間階調より黒レベル側の分圧抵抗間に出力される。これによりディスプレイ装置１０では、いわゆる１点の折れ線の特性によりガンマ特性を設定し、図４に示すように、赤色、緑色、青色の画素毎に、黒浮き、黒沈みを調整することができる。
【手続補正１０】
【補正対象書類名】明細書
【補正対象項目名】００４４
【補正方法】変更
【補正の内容】
【００４４】
図７及び図８は、図１及び図３との対比により、本発明の実施例３のディスプレイ装置の一部構成を示すブロック図である。このディスプレイ装置において、原基準電圧生成回路４２は、赤色用、緑色用、青色用の白レベル設定用の原基準電圧ＶＲＴＲ、ＶＲＴＧ、ＶＲＴＢをそれぞれ色データ毎に生成する。また赤色用、緑色用、青色用のディジタルアナログ変換部４４Ｒ、４４Ｇ、４４Ｂは、この赤色用、緑色用、青色用の白レベル設定用の原基準電圧ＶＲＴＲ、ＶＲＴＧ、ＶＲＴＢをそれぞれ使用して基準電圧Ｖ０〜Ｖ１５を生成し、これにより黒レベル近傍の中間レベルに加えて、白レベルも色毎に調整できるようにする。
【手続補正１１】
【補正対象書類名】明細書
【補正対象項目名】００４６
【補正方法】変更
【補正の内容】
【００４６】
図９及び図１０は、図１及び図３との対比により、本発明の実施例４のディスプレイ装置の一部構成を示すブロック図である。このディスプレイ装置において、原基準電圧生成回路５２は、中間階調より白寄りの赤色用、緑色用、青色用の原基準電圧ＶＲ１、ＶＧ１、ＶＢ１をさらに色データ毎に生成する。また赤色用、緑色用、青色用のディジタルアナログ変換部５４Ｒ、５４Ｇ、５４Ｂは、白レベル設定用の原基準電圧ＶＲＴ、中間階調より白寄りの原基準電圧ＶＲ１、ＶＧ１、ＶＢ１、中間階調より黒寄りの原基準電圧ＶＲ、ＶＧ、ＶＢ、黒レベル調整用の原基準電圧ＶＲＢで基準電圧Ｖ０〜Ｖ１５を生成する。
【手続補正１２】
【補正対象書類名】明細書
【補正対象項目名】００４９
【補正方法】変更
【補正の内容】
【００４９】
図１２及び図１３は、図９及び図１０との対比により、本発明の実施例５のディスプレイ装置の一部構成を示すブロック図である。このディスプレイ装置において、原基準電圧生成回路６２は、さらに白レベル設定用の原基準電圧ＶＲＴＲ、ＶＲＴＧ、ＶＲＴＢを色毎に生成する。また赤色用、緑色用、青色用のディジタルアナログ変換部６４Ｒ、６４Ｇ、６４Ｂは、白レベル設定用の原基準電圧ＶＲＴＲ、ＶＲＴＧ、ＶＲＴＢ、中間階調より白寄りの原基準電圧ＶＲ１、ＶＧ１、ＶＢ１、中間階調より黒寄りの原基準電圧ＶＲ、ＶＧ、ＶＢ、黒レベル調整用の原基準電圧ＶＲＢで基準電圧Ｖ０〜Ｖ１５を生成する。
【手続補正１３】
【補正対象書類名】図面
【補正対象項目名】図１３
【補正方法】変更
【補正の内容】
【図１３】
2008102235.tif 000002